(57)【要約】  マルチメディアマルチキャスト／ブロードキャストサービス（ＭＢＭＳサービス）に関し、特に、特定の選好周波数（ＰＬ）でＭＢＭＳをサービスするＦＬＣ状況で、ＭＢＭＳサービスのセッションが終了された際のセルの混雑度及び信号の送信負担（load）を適正な水準に維持させる方法及び装置に関する。ＭＢＭＳサービスのセッションが終了されると、無線網制御器（ＲＮＣ）は、ＭＢＭＳサービスの次のセッションが開始されるまでの間にかかる時間情報と、現在のセル及び他のセルの混雑度とを総合的に使用して、ＭＢＭＳサービスの受信を希望する、選好周波数セルに位置するＵＥでセル選択が要求されるか否かを判断し、上記判断の結果に従って、セッション終了情報と共に、セル選択指示情報をＵＥへ明示的に通知する。従って、セルの混雑度及び信号の送信負担を適正な水準に保持することができる。
2008505582.tif 000002
【特許請求の範囲】
【請求項１】
マルチメディアブロードキャスト／マルチキャストサービス（ＭＢＭＳサービス）に対する選好周波数セル及び非選好周波数セルを使用して、移動通信システムにおける前記ＭＢＭＳサービスを支援する方法であって、
ＭＢＭＳサービスのセッションが終了されると、前記ＭＢＭＳサービスの前記選好周波数セルから前記ＭＢＭＳサービスを受信している端末を散在させるか否かを判断するステップと、
前記判断の結果に従って、前記ＭＢＭＳサービスを受信している端末へセル選択指示情報を送信するステップと
を具備することを特徴とする方法。
【請求項２】
前記判断するステップは、
前記ＭＢＭＳサービスの次のセッションが開始されるまでの間にかかる時間と前記選好周波数セル及び前記非選好周波数セルの負担程度とを判断することを特徴とする請求項１記載の方法。
【請求項３】
前記セル選択指示情報は、
ＭＢＭＳサービスに関連したＭＢＭＳ制御情報に含まれ、ＭＢＭＳ制御チャンネルを介して送信されることを特徴とする請求項１記載の方法。
【請求項４】
前記セル選択指示情報は、
前記セッションが終了された後に、前記ＭＢＭＳサービスの受信を希望する前記端末でセル選択が要求されるか否かを示す指示子を具備することを特徴とする請求項３記載の方法。
【請求項５】
前記セル選択指示情報は、
前記セッションが終了された後に、前記ＭＢＭＳサービスの受信を希望する前記端末でセル選択が要求されるか否かを示す確率因子を具備することを特徴とする請求項３記載の方法。
【請求項６】
前記ＭＢＭＳ制御情報は、
前記ＭＢＭＳサービスのサービス識別子及び前記セッションのセッション識別子のうち少なくとも１つを具備することを特徴とする請求項３記載の方法。
【請求項７】
前記セル選択指示情報は、
無線資源制御（ＲＲＣ）のためのセル選択指示メッセージに含まれ、専用制御チャンネル又は共通制御チャンネルを介して送信されることを特徴とする請求項１記載の方法。
【請求項８】
前記セル選択指示情報は、
前記セッションが終了された後に、前記ＭＢＭＳサービスの受信を希望する前記端末でセル選択が要求されるか否かを示す指示子を具備することを特徴とする請求項７記載の方法。
【請求項９】
前記セル選択指示情報は、
前記セッションが終了された後に、前記ＭＢＭＳサービスの受信を希望する前記端末でセル選択が要求されるか否かを示す確率因子を具備することを特徴とする請求項７記載の方法。
【請求項１０】
前記セル再選択指示情報は、
前記ＭＢＭＳサービスのサービス識別子及び前記セッションのセッション識別子のうち少なくとも１つを具備することを特徴とする請求項８記載の方法。
【請求項１１】
前記セル再選択指示情報は、
前記ＭＢＭＳサービスのサービス識別子及び前記セッションのセッション識別子のうち少なくとも１つを具備することを特徴とする請求項９記載の方法。
【請求項１２】
前記セル再選択指示情報は、
前記ＭＢＭＳサービスのサービス識別子及び前記セッションのセッション識別子のうち少なくとも１つを具備することを特徴とする請求項７記載の方法。
【請求項１３】
前記セル選択指示メッセージは、
前記判断の結果に従って、前記ＭＢＭＳサービスを受信している端末で散在動作が要求されると決定された場合に送信されることを特徴とする請求項１２記載の方法。
【請求項１４】
前記セル選択指示メッセージは、
前記判断の結果に従って、前記ＭＢＭＳサービスを受信している端末で散在動作が要求されないと決定された場合に送信されることを特徴とする請求項１２記載の方法。
【請求項１５】
前記ＭＢＭＳサービスのセッションが終了されると、前記ＭＢＭＳサービスに関連したＭＢＭＳ制御情報に含まれて、ＭＢＭＳ制御チャンネルを介して前記ＭＢＭＳサービスのセッションが終了されたことを示すセッション終了情報を送信するステップをさらに具備することを特徴とする請求項１記載の方法。
【請求項１６】
マルチメディアブロードキャスト／マルチキャストサービス（ＭＢＭＳサービス）に対して、選好周波数セル及び非選好周波数セルを使用する移動通信システムにおける端末が前記ＭＢＭＳサービスを受信する方法であって、
前記ＭＢＭＳサービスに対するセッションが終了されたことを示すセッション終了情報を受信するステップと、
前記ＭＢＭＳサービスのセッションが終了された後に、前記ＭＢＭＳサービスの前記選好周波数セルからの散在が要求されるか否かを示すセル選択指示情報を受信するステップと、
前記セル選択指示情報に従って、セル選択を遂行するか、又は現在のセルに滞在しているステップと
を具備することを特徴とする方法。
【請求項１７】
前記セル選択指示情報は、
ＭＢＭＳサービスに関連したＭＢＭＳ制御情報に含まれ、ＭＢＭＳ制御チャンネルを介して受信されることを特徴とする請求項１６記載の方法。
【請求項１８】
前記セル選択指示情報は、
前記セッション終了情報を受信した後に、セル選択が要求されるか否かを示す指示子を具備することを特徴とする請求項１７記載の方法。
【請求項１９】
前記セル選択指示情報は、
前記セッション終了情報を受信した後に、セル選択が要求されるか否かを示す確率因子を具備することを特徴とする請求項１７記載の方法。
【請求項２０】
前記ＭＢＭＳ制御情報は、
前記ＭＢＭＳサービスのサービス識別子及び前記セッションのセッション識別子のうち少なくとも１つを具備することを特徴とする請求項１７記載の方法。
【請求項２１】
前記セル選択指示情報は、
無線資源制御（ＲＲＣ）のためのセル選択指示メッセージに含まれ、専用制御チャンネル又は共通制御チャンネルを介して受信されることを特徴とする請求項１６記載の方法。
【請求項２２】
前記セル選択指示情報は、
前記セッション終了情報を受信した後に、前記セル選択が要求されるか否かを示す指示子を具備することを特徴とする請求項２１記載の方法。
【請求項２３】
前記セル選択指示情報は、
前記セッション終了情報を受信した後に、前記セル選択が要求されるか否かを示す確率因子を具備することを特徴とする請求項２１記載の方法。
【請求項２４】
前記セル選択指示情報は、
前記ＭＢＭＳサービスのサービス識別子及び前記セッションのセッション識別子のうち少なくとも１つを具備することを特徴とする請求項２２記載の方法。
【請求項２５】
前記セル選択指示情報は、
前記ＭＢＭＳサービスのサービス識別子及び前記セッションのセッション識別子のうち少なくとも１つを具備することを特徴とする請求項２３記載の方法。
【請求項２６】
前記セル選択指示情報は、
前記ＭＢＭＳサービスのサービス識別子及び前記セッションのセッション識別子のうち少なくとも１つを具備することを特徴とする請求項２１記載の方法。
【請求項２７】
前記セル選択を遂行するか、又は現在のセルに滞在しているステップは、
前記セル選択指示メッセージが受信されたか否かを確認するステップと、
前記セル選択指示メッセージが受信された場合に、前記セル選択を遂行するステップと
を具備することを特徴とする請求項２６記載の方法。
【請求項２８】
前記セル選択を遂行するか、又は現在のセルに滞在しているステップは、
前記セル選択指示メッセージが受信されたか否かを確認するステップと、  
前記セル選択指示メッセージが受信されない場合に、前記セル選択を遂行するステップと
を具備することを特徴とする請求項２６記載の方法。
【請求項２９】
前記セッション終了情報は、
ＭＢＭＳサービスに関連したＭＢＭＳ制御情報に含まれ、ＭＢＭＳ制御チャンネルを介して送信されることを特徴とする請求項１６記載の方法。
【請求項３０】
マルチメディアブロードキャスト／マルチキャストサービス（ＭＢＭＳサービス）に対して、選好周波数セル及び非選好周波数セルを使用する移動通信システムであって、
ＭＢＭＳサービスのセッションが終了されると、前記ＭＢＭＳサービスを受信している端末を前記ＭＢＭＳサービスの前記選好周波数セルから散在させるか否かを判断し、前記判断の結果に従うセル選択指示情報を前記ＭＢＭＳサービスを受信している端末へ送信する無線網制御器（ＲＮＣ）と、
前記セル選択指示情報を受信し、前記セル選択指示情報に従って、セルの選択を遂行するか、又は現在のセルに滞在している端末（ＵＥ）と
を具備することを特徴とするシステム。
【請求項３１】
前記ＲＮＣは、
前記ＭＢＭＳサービスの次のセッションが開始されるまでの間にかかる時間と前記選好周波数セル及び前記非選好周波数セルの負担程度とを考慮して、前記端末を散在させるか否かを判断することを特徴とする請求項３０記載のシステム。
【請求項３２】
前記セル選択指示情報は、
ＭＢＭＳサービスに関連したＭＢＭＳ制御情報に含まれて、ＭＢＭＳ制御チャンネルを介して送信されることを特徴とする請求項３０記載のシステム。
【請求項３３】
前記セル選択指示情報は、
前記セッションが終了された後に、前記ＭＢＭＳサービスの受信を希望する前記端末でセル選択が要求されるか否かを示す指示子を具備することを特徴とする請求項３２記載のシステム。
【請求項３４】
前記セル選択指示情報は、
前記セッションが終了された後に、前記ＭＢＭＳサービスの受信を希望する前記端末でセル選択が要求されるか否かを示す確率因子を具備することを特徴とする請求項３２記載のシステム。
【請求項３５】
前記ＭＢＭＳ制御情報は、
前記ＭＢＭＳサービスのサービス識別子及び前記セッションのセッション識別子のうち少なくとも１つを具備することを特徴とする請求項３２記載のシステム。
【請求項３６】
前記セル選択指示情報は、
無線資源制御（ＲＲＣ）のためのセル選択指示メッセージに含まれ、専用制御チャンネル又は共通制御チャンネルを介して送信されることを特徴とする請求項３０記載のシステム。
【請求項３７】
前記セル選択指示情報は、
前記セッションが終了された後に、前記ＭＢＭＳサービスの受信を希望する前記端末でセル選択が要求されるか否かを示す指示子を具備することを特徴とする請求項３６記載のシステム。
【請求項３８】
前記セル選択指示情報は、
前記セッションが終了された後に、前記ＭＢＭＳサービスの受信を希望する前記端末でセル選択が要求されるか否かを示す確率因子を具備することを特徴とする請求項３６記載のシステム。
【請求項３９】
前記セル再選択指示情報は、
前記ＭＢＭＳサービスのサービス識別子及び前記セッションのセッション識別子のうち少なくとも１つを具備することを特徴とする請求項３７記載のシステム。
【請求項４０】
前記セル再選択指示情報は、
前記ＭＢＭＳサービスのサービス識別子及び前記セッションのセッション識別子のうち少なくとも１つを具備することを特徴とする請求項３８記載のシステム。
【請求項４１】
前記セル再選択指示情報は、
前記ＭＢＭＳサービスのサービス識別子及び前記セッションのセッション識別子のうち少なくとも１つを具備することを特徴とする請求項３６記載のシステム。
【請求項４２】
前記セル選択指示メッセージは、
前記判断の結果に従って、前記ＭＢＭＳサービスを受信している端末で散在動作が要求されると決定された場合に送信されることを特徴とする請求項４１記載のシステム。
【請求項４３】
前記セル選択指示メッセージは、
前記判断の結果に従って、前記ＭＢＭＳサービスを受信している端末で散在動作が要求されないと決定された場合に送信されることを特徴とする請求項４１記載のシステム。
【請求項４４】
前記ＲＮＣは、
前記ＭＢＭＳサービスのセッションが終了されると、前記ＭＢＭＳサービスに関連したＭＢＭＳ制御情報に含まれて、ＭＢＭＳ制御チャンネルを介して前記ＭＢＭＳサービスのセッションが終了されたことを示すセッション終了情報を前記端末へ送信することを特徴とする請求項３０記載のシステム。
【請求項４５】
マルチメディアブロードキャスト／マルチキャストサービス（ＭＢＭＳサービス）に対して、選好周波数セル及び非選好周波数セルを使用する移動通信システムにおける端末が前記ＭＢＭＳサービスを受信する方法であって、
前記ＭＢＭＳサービスに対するセッションが終了されたことを示すセッション終了情報を受信するステップと、
前記ＭＢＭＳサービスに対する前記セッションが終了された後、所定のタイマーを開始するステップと、
前記タイマーが満了される前に、前記ＭＢＭＳサービスに対する新たなセッションが開始されると、現在のセルで前記ＭＢＭＳサービスを実質的に継続して受信するステップと、
前記タイマーが満了されるまで、前記ＭＢＭＳサービスに対する新たなセッションが開始されないと、セル再選択を遂行するステップと
を具備することを特徴とする方法。
【請求項４６】
前記タイマーは、
前記端末を制御する無線網制御器から受信される値、又は、前記端末に予め設定されているデフォルト値に設定されることを特徴とする請求項４５記載の方法。
【請求項４７】
前記セル再選択を遂行するステップは、
前記タイマーが満了される直後に、前記セル再選択を遂行するか、又は予め定められる確率値に従って前記セル再選択を遂行することを特徴とする請求項４５記載の方法。
【請求項４８】
前記確率値は、
前記無線網制御器から受信される値であるか、又は、前記端末に予め設定されているデフォルト値であることを特徴とする請求項４７記載の方法。
【請求項４９】
前記セッション終了情報は、
ＭＢＭＳサービスに関連したＭＢＭＳ制御情報に含まれ、ＭＢＭＳ制御チャンネルを介して受信されることを特徴とする請求項４５記載の方法。
【発明の詳細な説明】
【技術分野】
【０００１】
本発明は、マルチメディアマルチキャスト／ブロードキャストサービス（Multimedia Multicast／Broadcast Service;以下、ＭＢＭＳサービスと称する）に関し、特に、特定の選好周波数（Preferred Layer frequency；ＰＬ）でＭＢＭＳをサービスするＦＬＣ（frequency layer convergence）状況で、ＭＢＭＳサービスのセッションが終了された際のセルの混雑度及び信号の送信負担（load）を適正なレベルに維持させる方法及び装置に関する。
【背景技術】
【０００２】
最近、通信技術の発達に伴って、広帯域（Wideband）符号分割多元接続（Code Division Multiple Access；以下、‘Ｗ−ＣＤＭＡ’と称する）方式を使用する移動通信システムから提供するサービスは、従来の音声サービスだけではなく、大容量のデータを伝送するパケットサービス通信と、マルチメディアサービスを伝送することができるマルチメディアブロードキャスト／通信に発展している。従って、マルチメディアブロードキャスト／通信に対応するために、一つあるいは複数のマルチメディアデータソースから複数のユーザ端末機（User Equipment；以下、‘ＵＥ’と称する）にサービスを提供するマルチメディアブロードキャスト／マルチキャストサービスが論議されている。
【０００３】
“ＭＢＭＳサービス”とは、無線ネットワークを通じて同一のマルチメディアデータを複数の受信者に伝送するサービスをいう。この場合、複数の受信者が一つの無線チャンネルを共有するので、無線伝送資源を節約することができる。ＭＢＭＳサービスは、リアルタイム映像及び音声、静止画、文字などのマルチメディア伝送形態を支援し、マルチメディア伝送形態によって音声データと映像データを同時に提供することができるサービスとして大量の伝送資源を要求する。ＭＢＭＳサービスの場合には、ユーザが位置している複数のセルに同一のデータを伝送しなければならないので、各セル別に位置するユーザの数によって一対一（Point to Point；以下、‘ＰＰ’と称する）または一対多（Point to Multipoint；以下、‘ＰＭ’と称する）接続が行われる。
【０００４】
図１は、移動通信ネットワークにおいてＭＢＭＳサービスの提供に参加するノードを概略的に示す図である。図１において、ＧＳＭ（Global System for Mobile Communications）及びＧＰＲＳ（General Packet Radio Services）に基づいて、第３世代非同期移動通信方式の標準である３ＧＰＰ（３rd Generation Project Partnership）システムにＭＢＭＳサービスを適用した構成の形態を示す。
【０００５】
図１を参照すると、ユーザ端末機（ＵＥ）１６１、１６２、１６３、１７１、１７２は、ＭＢＭＳサービスを受信できる端末装置あるいは加入者を意味し、第１のセル１６０と第２のセル１７０は、加入者にＭＢＭＳ関連データを無線伝送する基地局装置、すなわち、ノードＢにより制御される物理的又は論理的なサービスの領域を示す。無線網制御器（Radio Network controller；以下、‘ＲＮＣ’と称する）１４０は、多数のセル１６０、１７０を制御してマルチメディアデータを特定のセルへ選択的に伝送し、ＭＢＭＳサービスを提供するために設定されている無線チャンネルを制御する。ＲＮＣ１４０とＵＥ１６１乃至１７２との間の接続は、無線資源制御（Radio Resource control；以下、“ＲＲＣ”と称する）インターフェースによってなされる。
【０００６】
ＲＮＣ１４０は、サービスパケット無線サービス支援ノード（Serving ＧＰＲＳ Support Node;以下、‘ＳＧＳＮ’と称する）１３０により、インターネットなどのようなパケット交換サービス（Packet Switched or Packet Service；以下、‘ＰＳ’と称する）ネットワークに接続される。ＲＮＣ１４０とＰＳネットワーク間の通信は、パケット交換シグナリング（Packet Switched Signaling；ＰＳ Signaling）によりなされる。特に、ＲＮＣ１４０とＳＧＳＮ１３０との間の接続は、Ｉｕ−ＰＳインターフェースと称する。ＳＧＳＮ１３０は、各加入者のＭＢＭＳ関連サービスを制御する。例えば、ＳＧＳＮ１３０は、各加入者のサービス課金に関連したデータを管理する役割及びマルチメディアデータを特定のＲＮＣ１４０へ選別的に送信する役割をする。
【０００７】
運送ネットワーク（Transit NW）１２０は、マルチキャスト／ブロードキャスト-サービスセンター（Broadcast Multicast Service Center；以下、“ＢＭ-ＳＣ”と称する）１１０とＳＧＳＮ１３０との間の通信路を提供し、ゲートウェイパケットサービスサポートノード（Gateway GPRS Support Node；ＧＧＳＮ）（図示せず）を通じて外部網に連結することができる。ＭＢＭＳデータソースとしての役割を果たすＢＭ-ＳＣ１１０は、ＭＢＭＳデータのスケジューリングを担当している。
【０００８】
一方、ＲＮＣ１４０は、移動交換局（Mobile Switching Center；以下、‘ＭＳＣ’と称する）１５０により回線交換（Circuit Switched；以下、‘ＣＳ’と称する）ネットワークに連結される。ＣＳネットワークは、従来の接続ベース（connection-based）の音声中心の既存（legacy）通信ネットワークを意味する。ＲＮＣ１４０とＭＳＣ１５０との間の通信は、回線交換シグナリング（Circuit Switched Signaling）により行われる。特に、ＲＮＣ１４０とＭＳＣ１５０との間の接続は、Ｉｕ−ＣＳインターフェースと称する。
【０００９】
ＢＭ-ＳＣ１１０から発生したＭＢＭＳデータストリームは、運送ネットワーク１２０、ＳＧＳＮ１３０、ＲＮＣ１４０、ノードＢ及びセル１６０、１７０を経てＵＥ１６１、１６２、１６３、１７１、１７２へ伝達される。
【００１０】
図１には図示していないが、１つのＭＢＭＳサービスに対して複数のＳＧＳＮと、各ＳＧＳＮに対して複数のＲＮＣとが提供されうる。各ＳＧＳＮは、複数のＲＮＣに選別的なデータ送信を遂行し、各ＲＮＣは、複数の各セルに選別的なデータ送信を遂行し、このために、各ノードは、データストリームを送信しなければならない下位ノードのリストを記憶する。すなわち、ＳＧＳＮは、ＲＮＣのリストを記憶し、ＲＮＣは、セルのリストを記憶する。すると、複数のノードは、上記記憶されているノードにのみ選別的なＭＢＭＳデータの送信を遂行する。
【００１１】
図２は、ＭＢＭＳサービスのための加入者端末機とネットワークとの間の手順を示す図である。ＢＭ-ＳＣ２０６は、ＲＮＣ２０４を通してＵＥ２０２と通信する。また、ＲＮＣ２０４は、ＳＧＳＮ（図示せず）を通してＢＭ-ＳＣ２０６と通信する。ここで、１つのＲＮＣ２０４及び１つのＵＥ２０２のみを示したが、同一の手順は、ＭＢＭＳサービスの受信を希望する複数のＵＥ及び上記複数のＵＥを制御する複数のＲＮＣに適用できることはもちろんである。
【００１２】
図２を参照すると、サービス登録（SUBSCRIPTION）ステップＳ２１０は、ＭＢＭＳサービスの受信を希望するユーザ、すなわち、ＵＥ２０２がサービス提供者であるＢＭ-ＳＣ２０６に登録する過程である。サービス登録ステップＳ２１０において、サービス提供者（ＢＭ-ＳＣ）２０６及びユーザ（ＵＥ）２０２は、サービス課金やサービス受信に関連した基本的な情報を交換する。
【００１３】
サービス告知（ANNOUNCEMENT）ステップＳ２２０において、ＵＥは、ＭＢＭＳサービスに関する基本的な情報を識別する。例えば、ＢＭ-ＳＣ２０６から提供されうるＭＢＭＳサービスの区分のためのＭＢＭＳサービス識別子（MBMS service ID）、サービス開始時間、及びサービス持続時間を識別する。ここで、上記ＭＢＭＳサービス識別子は、マルチキャストアドレス（Multicast address）及びアクセスポイントノード（Access Point Node；以下、‘ＡＰＮ’と称する。）から構成されることができる。
【００１４】
サービス告知ステップＳ２２０において、ＢＭ-ＳＣ２０６とＵＥ２０２との間に位置するノード、すなわち、ＲＮＣ２０４、ＳＧＳＮ、運送ネットワークは、ＵＥ２０２及びＵＥ２０２に連結されているノードを識別する。例えば、ＳＧＳＮは、自身の下位で上記ＭＢＭＳサービスの受信を希望するＵＥのリスト及びＵＥが位置するＲＮＣのリストを識別し、上記リストを参照して、ＵＥが位置するＲＮＣにのみＭＢＭＳデータを送信する。
【００１５】
上記ＭＢＭＳサービスに関する基本情報を習得したＵＥ２０２は、所望する（interest）ＭＢＭＳサービスデータを受信するために、サービス参加（JOINING）ステップＳ２３０を遂行する。サービス参加ステップＳ２３０において、ＵＥ２０２は、サービス告知ステップＳ２２０を通して得られたＭＢＭＳサービス識別子のうち、所望する少なくとも１つのＭＢＭＳサービス識別子をＢＭ-ＳＣ２０６へ送信する。
【００１６】
サービス通知（NOTIFICATION）ステップＳ２４０は、ＵＥ２０２が参加した上記ＭＢＭＳサービスのセッションが開始され、上記ＭＢＭＳサービスがすぐ開始されることを知らせるために、ＵＥ２０２をページングする段階である。サービス通知ステップＳ２４０において、上記ＭＢＭＳサービスに参加した複数のＵＥに対するグループページング（Group Paging）が遂行される。
【００１７】
無線資源割当て（Radio Resource Allocation）ステップＳ２５０は、上記ＭＢＭＳサービスを提供するために、ＵＥ２０２とＲＮＣ２０４との間に無線資源を実際に割り当て、上記割当て情報を関連ノードへ通知する段階である。ステップＳ２５０において、ＲＮＣ２０４は、下位の各セルに属しているＵＥの数に関する情報及び無線資源管理機能（Radio Resource Management Function；ＲＲＭ）に基づいて、ＰＭ又はＰＰ接続を決定することができる。
【００１８】
データ送信（DATA TRANSFER）ステップＳ２６０において、ＭＢＭＳデータは、ＲＮＣ２０４を通してＵＥ２０２へ送信される。上記ＭＢＭＳデータを送信する間に、上記ＭＢＭＳサービスに関連した情報、例えば、暗号キー（ciphering key）を変更すべき必要性がある場合、ＲＮＣ２０４は、上記ＭＢＭＳサービスに関連した新たな情報をＭＢＭＳ制御情報に乗せて上記ＭＢＭＳサービスを受信しているすべてのＵＥへ送信する。
【００１９】
上記ＭＢＭＳサービスのセッションが終了されると、無線資源解除（Radio Resource Release）ステップＳ２７０で、上記割当てられた無線資源が解除され、ＭＢＭＳ無線資源が解除されたことがＵＥ２０２へ通知される。ステップＳ２５０で、上記ＭＢＭＳサービスが受信される間に、ＵＥ２０２は、上記ＭＢＭＳサービスの受信の中断を自発的に要求し、上記ＭＢＭＳサービスの受信を中断することができる。
【００２０】
最近のＭＢＭＳシステムは、提供可能なＭＢＭＳサービスの各々に対して選好周波数（Preferred frequency Layer；ＰＬ）を割り当て、ＭＢＭＳサービスの使用を希望するＵＥが、可能であれば、選好周波数で所望のＭＢＭＳサービスを受信することができるようにするＦＬＣ（Frequency Layer Convergence）技術を支援している。選好周波数（ＰＬ）情報は、ＭＢＭＳサービスに対応するＰＬを示す。
【００２１】
図３は、ＭＢＭＳシステムにおけるＦＬＣ状況でのセル構成の一例を示す。ノードＢ３００の下位に相互に異なる周波数（周波数１乃至３）を各々使用する３個のセル３０１、３０２、３０３が空間的にオーバーラップされており、複数のＵＥ３１１、３１２、３１３、及び３１４がセル３０１乃至３０３に位置した状態でＭＢＭＳサービスを使用する。セル３０１乃至セル３０３のうち、セル２ ３０２に該当する周波数階層２は、ＭＢＭＳサービスの選好周波数として設定されている。
【００２２】
図３に示すようなＦＬＣ状況で、ＭＢＭＳサービスに対するセッションが終了された場合、選好周波数で、上記ＭＢＭＳサービスを受信しているＵＥがセル再選択過程を通じて、他のセル（すなわち、非選好周波数セル（ｎｏｎ-ＰＬ；ＮＰＬ）に散在せず、ＰＬセル（すなわち、図３のセル２）に滞在する場合、無線リンクを介してＭＢＭＳ送信が存在しないにもかかわらず、長時間後に開始されるか、あるいは、開始されないこともある新たなセッションを待機するＵＥのために、上記選好周波数セルが他のセルに比べて非常に混雑してサービスの質が劣化する。
【００２３】
さらに、セッションが終了されるに従って、ＵＥがＮＰＬセルに散在するとき、上記ＮＰＬセルがすでに混雑していると、移動するＵＥによって、上記ＮＰＬセルの混雑度が増加して、セル間の負担がかなり集中する、という問題点があった。
【発明の開示】
【発明が解決しようとする課題】
【００２４】
上記背景に鑑みて、本発明の目的は、ＭＢＭＳサービスのセッションが終了される際に、ＲＮＣが新たなセッションの開始時間、自身のセル、及び他のセルのロードを総合的に考慮して、ＵＥにセルの選択を遂行するか否かを明示的に通知する方法及び装置を提供することにある。
【００２５】
本発明の他の目的は、ＵＥの散在（dispersion）動作の要否を示す指示情報をＵＥへ送信するにあたって、上記指示情報に確率値を含んで、上記確率に従って、ＵＥがセル選択を遂行するようにする方法及び装置を提供することにある。
【００２６】
本発明のさらなる目的は、セッションが終了されると同時に、ＵＥが単独でタイマーを駆動して、所定の時間が経過するまで次のセッションが開始されないと、セル再選択を遂行する方法及び装置を提供することにある。
【課題を解決するための手段】
【００２７】
上記のような目的を達成するために、本発明の第１の見地によると、マルチメディアブロードキャスト／マルチキャストサービス（ＭＢＭＳサービス）に対する選好周波数セル及び非選好周波数セルを使用して、移動通信システムにおける上記ＭＢＭＳサービスを支援する方法は、ＭＢＭＳサービスのセッションが終了されると、上記ＭＢＭＳサービスの上記選好周波数セルから上記ＭＢＭＳサービスを受信している端末を散在させるか否かを判断するステップと、上記判断の結果に従って、上記ＭＢＭＳサービスを受信している端末へセル選択指示情報を送信するステップとを具備することを特徴とする。
【００２８】
本発明の第２の見地によると、マルチメディアブロードキャスト／マルチキャストサービス（ＭＢＭＳサービス）に対して、選好周波数セル及び非選好周波数セルを使用する移動通信システムにおける端末が上記ＭＢＭＳサービスを受信する方法は、上記ＭＢＭＳサービスに対するセッションが終了されたことを示すセッション終了情報を受信するステップと、上記ＭＢＭＳサービスのセッションが終了された後に、上記ＭＢＭＳサービスの上記選好周波数セルからの散在が要求されるか否かを示すセル選択指示情報を受信するステップと、上記セル選択指示情報に従って、セル選択を遂行するか、又は現在のセルに滞在しているステップとを具備することを特徴とする。
【００２９】
本発明の第３の見地によると、マルチメディアブロードキャスト／マルチキャストサービス（ＭＢＭＳサービス）に対して、選好周波数セル及び非選好周波数セルを使用する移動通信システムは、ＭＢＭＳサービスのセッションが終了されると、上記ＭＢＭＳサービスを受信している端末を上記ＭＢＭＳサービスの上記選好周波数セルから散在させるか否かを判断し、上記判断の結果に従うセル選択指示情報を上記ＭＢＭＳサービスを受信している端末へ送信する無線網制御器（ＲＮＣ）と、上記セル選択指示情報を受信し、上記セル選択指示情報に従って、セルの選択を遂行するか、又は現在のセルに滞在している端末（ＵＥ）とを具備することを特徴とする。
【００３０】
本発明の第４の見地によると、マルチメディアブロードキャスト／マルチキャストサービス（ＭＢＭＳサービス）に対して、選好周波数セル及び非選好周波数セルを使用する移動通信システムにおける端末が上記ＭＢＭＳサービスを受信する方法は、上記ＭＢＭＳサービスに対するセッションが終了されたことを示すセッション終了情報を受信するステップと、上記ＭＢＭＳサービスに対する上記セッションが終了された後、所定のタイマーを開始するステップと、上記タイマーが満了される前に、上記ＭＢＭＳサービスに対する新たなセッションが開始されると、現在のセルで上記ＭＢＭＳサービスを実質的に継続して受信するステップと、上記タイマーが満了されるまで、上記ＭＢＭＳサービスに対する新たなセッションが開始されないと、セル再選択を遂行するステップとを具備することを特徴とする。
【発明の効果】
【００３１】
本発明の実施形態によると、特定のＭＢＭＳサービスのセッションが終了されたことを感知したＲＮＣが、次のセッションが開始するまでの間にかかる時間情報とＰＬを使用するセル及びＮＰＬを使用するセルの負担程度とを総合的に考慮して、セル選択情報をＵＥへ送信し、又は、ＵＥが単独で判断することによって、ＦＬＣを使用するＭＢＭＳサービスによるセル混雑度も減少されて、無線上の不必要な信号の送信が減少される。従って、さらに効率的なＭＢＭＳサービスが可能である、という長所を有する。
【発明を実施するための最良の形態】
【００３２】
以下、本発明の好適な実施形態について添付図を参照しつつ詳細に説明する。なお、図面中、同一な構成要素及び部分には、可能な限り同一な符号及び番号を共通使用するものとする。下記説明において、本発明の要旨のみを明瞭するために公知の機能又は構成に対する詳細な説明は省略する。
【００３３】
本発明の実施形態に従って、上記ＭＢＭＳサービスが終了された場合、無線網制御器（ＲＮＣ）がＭＢＭＳサービスを用いるＵＥに上記ＭＢＭＳサービスの選好周波数から他の周波数へ移動するか否かを明示的に指示する。
【００３４】
図４は、本発明の望ましい実施形態に従って、ＦＬＣ状況でＭＢＭＳサービスを提供する各セルの時間経過に従う状態変化を示す。ここで、セル４０１乃至４０３のうち、セル２ ４０２は、ＭＢＭＳサービスの選好周波数（ＰＬ）を構成し、矢印“↑”及び“↓”は、ＵＥの状態を示す。
【００３５】
図４において、全般的なシナリオを説明すると次の通りである。時点４１１で、Ｎｏｄｅ Ｂは、サービス告知（service announcement）を通じてＭＢＭＳサービスの開始をＵＥへ通知する。時点４１２で、第１のセッション（セッション１）がセル２ ４０２で開始され、セッション１は、時点４１３で終了される。時点４１３から所定の時間（Inter Session Time；ＩＳＴ）４８０が経過した後に、時点４１４でＭＢＭＳサービスの第２のセッション（セッション２）がセル２ ４０２で開始される。上記セッションの開始及び終了情報は、すべてのセル４０１〜４０３で、ＭＢＭＳ制御情報を運搬するＭＢＭＳ制御チャンネル（MBMS Control Channel；以下、‘ＭＣＣＨ’と称する）を介してセル４０１〜４０３内に位置したＵＥへ送信される。
【００３６】
参照符号４２０で示すように、セッションが開始される前に、ＵＥは、所望するＭＢＭＳサービスに参加する。すなわち、ＵＥは、所望するＭＢＭＳサービスが開始される前に、又は後に、各々のセルで所望するＭＢＭＳサービスに参加する。
【００３７】
参照符号４３０で示すように、セッション１が開始される直前に、選好周波数（ＰＬ）情報をＭＣＣＨを介して受信したＵＥは、セッション１がすぐ開始されることを感知して、セッション１のＭＢＭＳサービスに対する選好周波数を使用するセル２ ４０２へ移動する。
【００３８】
参照符号４４０で示すように、セッション１が開始された後に、選好周波数ではない相互に異なる周波数を使用するセル４０１及び４０３から上記ＭＢＭＳサービスの受信を希望するＵＥが、選好周波数を用いるセル２ ４０２へ移動する。参照符号４５０で示すように、選好周波数に該当するセル２ ４０２に位置したＵＥは、セッション１が進行する間に、セル２で上記ＭＢＭＳサービスの受信を開始することができる。
【００３９】
参照番号４６０で示すように、セッション１がＭＣＣＨを介して終了されたことを認識したＵＥは、選好周波数を用いるセル２ ４０２の混雑を減少させるために、セル選択過程を通して他のセル４０１又は４０３に散在する（dispersion）。参照符号４３０と類似している参照符号４７０で示すように、セッション２がすぐ開始されることを感知したＵＥは、ＭＢＭＳサービスに対する選好周波数を用いるセル２ ４０２の周りに集まる。このとき、セッション２が比較的短時間内に開始されると、すなわち、上記ＩＳＴが所定の臨界値以下となると、ＵＥは、他のセル４０１又は４０３に散在することなく、セル２ ４０２に滞在する。
【００４０】
上述したような動作のために、本発明の望ましい実施形態は、ＭＢＭＳサービスのセッションが終了された場合に、選好周波数セルで上記ＭＢＭＳサービスを用いるＵＥが、セル選択を通じて他のセル（すなわち、非選好周波数セル）に散在させる必要があるか否かを示すセル選択指示情報（Cell Selection Indication）を使用する。上記セル選択指示情報は、本発明の第１の実施形態に従って、ＭＢＭＳサービスに関連した制御情報を運搬するＭＣＣＨを介して送信されるか、本発明の第２の実施形態に従って、ＲＲＣメッセージに乗せて送信される。以下、本発明の実施形態を区分して詳細に説明する。
【００４１】
図５は、本発明の第１の実施形態に従って、ＭＣＣＨを使用するＵＥの散在動作を示すメッセージフロー図である。
【００４２】
図５を参照すると、ＲＮＣ５０２は、ステップＳ５１０で、ＳＧＳＮ（図示せず）からＭＢＭＳサービスのセッション終了メッセージを受信し、ステップＳ５２０で、上記ＭＢＭＳサービスを使用するか、又は、上記ＭＢＭＳサービスの使用を希望するＵＥでセル選択が要求されるか否かを判断する。ここで、ＲＮＣ５０２は、上記ＭＢＭＳサービスの次のセッションが開始されるまでの間にかかる時間と選好周波数セル及び非選好周波数セルの負担程度とを総合的に考慮して、セル選択が要求されるか否かを決定する。
【００４３】
ステップＳ５３０で、ＲＮＣ５０２は、ＭＣＣＨを介して上記ＭＢＭＳサービスのセッションが終了されたことをＵＥ５０１へ通知するセッション終了情報を送信する。さらに、ＲＮＣ５０２は、セル選択が要求されるか否かを示す情報（すなわち、セル選択指示情報）をＭＢＭＳ制御情報、すなわち、ＭＣＣＨ情報を運搬するＭＣＣＨを介して送信する。ここで、セッション終了情報は、終了されたＭＢＭＳサービスのサービス識別子を意味する。ステップＳ５４０で、上記ＭＣＣＨ情報を受信しているＵＥ５０１は、上記セル選択指示情報に従ってセル選択を実行するか、又は、現在のセルに滞在する。ここで、セル選択を実行する場合、ＵＥ５０１は、上記ＭＢＭＳサービスの選好周波数セルへ移動する前に位置した周波数セルへ復帰するか、または、信号の強度を測定することによって得られた測定結果に基づいてセル選択を遂行する。このために、ＭＢＭＳサービスを受信しているＵＥ５０１がセル間を移動する度に、以前の周波数セルを示す以前の周波数情報を記憶し、ＭＢＭＳサービスの終了に従って選好周波数セルからの散在の指示が受信された場合、上記以前の周波数情報に基づいて上記以前の周波数セルへ復帰する。
【００４４】
図６は、本発明の第１の実施形態に従って、ＭＣＣＨ情報に含まれるセル選択指示情報の構成を示すテーブルである。
【００４５】
上記ＭＣＣＨ情報は、所定の変更周期（modification period）の間に反復して送信される。現在の変更周期の以前にセッションが終了された複数のＭＢＭＳサービスは、１つのセルに存在することができる。図６のセッション終了サービスリスト（Session stopped service list）は、現在の変更周期の以前にセッションが終了されたＭＢＭＳサービスを含む。上記セッション終了サービスリストは、ＭＢＭＳサービス識別子とセル選択指示子（Cells election indicator）とを含む。上記ＭＢＭＳサービス識別子は、ＴＭＧＩ（Temporary MBMS Group Identifier）を使用することができ、セッション識別子をさらに備えることができる。また、上記セッション終了サービスリストは、各ＭＢＭＳサービスに対して終了されたセッションを識別するセッション識別子をさらに備えることができる。
【００４６】
上記セル選択指示子は、各ＭＢＭＳサービスに対して、セル選択が要求されるか否かを示す。例えば、上記セル選択指示情報は、指示子又は確率因子（Probability factor；ＰＦ）を備えることができる。上記指示子は、ブール値（Boolean Value）を示す。この場合、‘１’は、上記セル選択指示情報を受信しているＵＥで、セル選択が要求されることを示し、‘０’は、セル選択が要求されないことを示す。上記確率因子は、０と予め定められた最大解像度（Max Resolution）値との間の整数値Ｎに設定される。すると、ＵＥは、ｎ／ＭａｘＲｅｓｏｌｕｔｉｏｎの確率に従ってセル選択を遂行する。
【００４７】
図７は、本発明の第１の実施形態によるＲＮＣからセル選択指示情報を送信する動作を示すフローチャートである。
【００４８】
図７を参照すると、ＲＮＣは、ステップＳ７０１で、ＭＢＭＳサービスに対するセッション終了メッセージをＳＧＳＮから受信し、ステップＳ７０２で、上記ＭＢＭＳサービスを使用するＵＥでセル選択が要求されるか否かを判断する。ここで、上記ＭＢＭＳサービスは、割り当てられた選好周波数を有する。ステップＳ７０３で、ＲＮＣは、ＭＣＣＨ情報にセッション終了情報及びセル選択指示情報を付加し、ＭＣＣＨを介して上記ＭＢＭＳサービスを使用するＵＥへ送信して、上記ＭＢＭＳサービスを終了する。上記セル選択指示情報は、上記ＭＢＭＳサービスを使用するＵＥでセル選択が要求されるか否か、すなわち、散在（dispersion）動作がＵＥで要求されるか否かを示す。
【００４９】
図８は、本発明の第１の実施形態によるＵＥでのセル選択指示情報を受信する動作を示すフローチャートである。
【００５０】
図８を参照すると、ＵＥは、ＭＢＭＳサービスを受信する間に、ステップＳ８１０で、上記ＭＢＭＳサービスに関するセッション終了情報を含むＭＣＣＨ情報を受信する。ステップＳ８２０で、ＵＥは、上記ＭＣＣＨ情報から上記セル選択指示情報を獲得して、上記セル選択指示情報を分析する。上記セル選択指示情報が真（true）／偽（false）を示すブール（Boolean）指示子を含むと、ＵＥは、ステップＳ８３０へ進行する。上記セル選択指示情報が確率因子（ＰＦ）値を含むと、ＵＥは、ステップＳ８４０へ進行する。
【００５１】
ステップＳ８３０へ進行すると、ＵＥは、上記指示子が“真”を示すかどうかを判断する。上記指示子が“真”を示すと、ＵＥは、ステップＳ８３１へ進行して、セル選択を遂行する。一方、ＵＥは、その動作を終了して現在のセルに滞在する。ステップＳ８４０へ進行すると、ＵＥは、上記ＰＦ値、すなわち、Ｐを記憶し、０と予め定められるｍａｘ Ｒｅｓｏｌｕｔｉｏｎ値との間の整数Ｎをランダムに発生させる。ステップＳ８４１で、ＵＥは、上記ランダム値Ｎを上記Ｐと比較する。上記ランダム値Ｎが上記Ｐより小さいか、又は同一であると、ＵＥは、ステップＳ８３１へ進行する。一方、ＵＥは、その動作を終了して現在のセルに滞在する。
【００５２】
本発明の第２の実施形態に従って、セル選択指示情報は、専用制御チャンネル（Dedicated Control Channel；以下、ＤＣＣＨと称する）や共通制御チャンネル（Common Control Channel；以下、ＣＣＣＨと称する）のような制御チャンネルを用いるＲＲＣメッセージであるセル選択指示（cell selection indication）メッセージを使用してＵＥへ送信する。
【００５３】
図９は、本発明の第２の実施形態に従って、制御チャンネルを使用するＵＥの散在動作を示すメッセージフロー図である。
【００５４】
図９を参照すると、ＲＮＣ９０２は、ステップＳ９１０で、ＳＧＳＮ（図示せず）からＭＢＭＳサービスに対するセッション終了メッセージを受信する。ステップＳ９２０で、ＲＮＣ９０２は、上記ＭＢＭＳサービスを使用するか、又は、上記ＭＢＭＳサービスの使用を希望するＵＥで、セル選択が要求されるか否かを判断する。ここで、ＲＮＣ９０２は、上記ＭＢＭＳサービスの次のセッションが開始されるまでの間にかかる時間と選好周波数セル及び非選好周波数セルの負担程度とを総合的に考慮して、セル選択が要求されるか否かを決定する。
【００５５】
ステップＳ９３０で、ＲＮＣ９０２は、上記ＭＢＭＳサービスのセッションが終了されたことを示すセッション終了情報（すなわち、セッション終了サービスリスト）をＭＣＣＨ情報を運搬するＭＣＣＨを介してＵＥ９０１へ送信する。すると、ＲＮＣ９０２は、ステップＳ９４０で、セル選択が要求されるか否かを示すセル選択指示情報を含むセル選択指示メッセージをＵＥ９０１へ送信する。ステップＳ９５０で、ＵＥ９０１は、上記セル選択指示情報に従って、セル選択を実行するか、又は現在のセルに滞在する。ここで、セル選択を実行する場合、ＵＥ９０１は、上記ＭＢＭＳサービスの選好周波数セルへ移動する前に位置した非選好周波数セルへ復帰するか、又は、信号強度の測定に従う測定結果に基づいて、セル選択を遂行する。このために、ＵＥ９０１は、以前の周波数情報を予め記憶することができる。
【００５６】
上記セル選択指示メッセージは、セッションが終了された特定のＭＢＭＳサービスに対応し、ＣＣＣＨ又はＤＣＣＨを介して送信される。ＣＣＣＨが使用される場合に、ＲＮＣは、ＵＥがＣＣＣＨを読む（listen）ことができるように通知する。
【００５７】
図１０は、本発明の第２の実施形態によるセル選択指示メッセージの構成形態を示すテーブルである。
【００５８】
図１０を参照すると、上記セル選択指示メッセージは、該当するＭＢＭＳサービスに対するサービス識別子であるＴＭＧＩ及びセル選択指示子を備え、上記ＭＢＭＳサービスのセッションを示すセッション識別子をさらに備えることができる。上記セル選択指示子は、図６に関連して上述したように、指示子又は確率因子を備える。
【００５９】
図１１は、本発明の第２の実施形態に従って、図１０に示すセル選択指示メッセージを送信する動作を示すフローチャートであって、ＲＮＣは、セッションが終了される度に、ＵＥへセル選択に関連した情報を送信する。
【００６０】
図１１を参照すると、ステップＳ１１１０で、ＲＮＣは、ＳＧＳＮからＭＢＭＳサービスに対するセッション終了メッセージを受信し、ステップＳ１１２０で、上記ＭＢＭＳサービスに対するセッション終了情報を含むＭＣＣＨ情報を構成し、上記ＭＣＣＨ情報をＭＣＣＨを介してＵＥへ送信する。上記セッション終了情報は、終了されたＭＢＭＳサービスのサービス識別子を意味する。ステップＳ１１２０と並行して、ステップＳ１１３０で、ＲＮＣは、セル選択が要求されるか否か、すなわち、ＵＥで散在動作が要求されるか否かを判断する。ステップＳ１１４０で、ＲＮＣは、図１０に示すように、上記判断の結果を示すセル選択指示メッセージを構成し、上記セル選択指示メッセージをＤＣＣＨ又はＣＣＣＨを介して上記ＭＢＭＳサービスを使用するＵＥへ送信する。
【００６１】
図１２は、本発明の第２の実施形態によるセル選択指示メッセージの他の構成形態を示すテーブルである。
【００６２】
第２の実施形態において、上記セル選択指示メッセージは、ＲＮＣとＵＥとの間で予め定められた規約に従って、セル選択が要求される場合又はセル選択が要求されない場合にのみ、ＲＮＣから送信される。ＭＣＣＨを介してセッション終了情報を受信すると、ＵＥは、上記規約に従って、上記セル選択指示メッセージが受信されるか否かを判断し、上記セル選択指示メッセージが受信される場合又は受信されない場合にのみセル選択を遂行する。
【００６３】
図１２を参照すると、上記セル選択指示メッセージは、セッションが終了されたＭＢＭＳサービスを識別するサービス識別子であるＴＭＧＩを基本的に含み、上記セッションを識別するセッション識別子をさらに具備することができる。
【００６４】
図１３は、本発明の第２の実施形態に従って、図１２に示すセル選択指示メッセージを送信する動作を示すフローチャートであって、ＲＮＣは、セッションが終了されるとき、セル選択が要求されるか否かに従って、ＵＥへ上記セル選択指示メッセージを送信する。
【００６５】
図１３を参照すると、ステップＳ１３１０で、ＲＮＣは、ＳＧＳＮからＭＢＭＳサービスに対するセッション終了メッセージを受信し、ステップＳ１３２０で、上記ＭＢＭＳサービスに対するセッション終了情報を含むＭＣＣＨ情報を構成し、ＭＣＣＨを介してＵＥへ送信する。ステップＳ１３２０と並行して、ステップＳ１３３０で、ＲＮＣは、上記セル選択指示メッセージが送信される必要があるかどうかを判断する。ステップＳ１３４０で、上記セル選択指示メッセージは、ＲＮＣとＵＥとの間で予め定められた規約に従って、セル選択が要求される場合又はセル選択が要求されない場合に、ＲＮＣから送信される。上記セル選択指示メッセージが送信されないと決定された場合に、ＲＮＣは、その動作を終了する。
【００６６】
上記セッションが終了され、ＲＮＣが図１０に示すようなセル選択指示メッセージを送信する場合に、ＵＥは、図８に関連して上述したように動作する。すなわち、ＵＥは、ステップＳ８２０で、ＤＣＣＨ又はＣＣＣＨを介して上記セル選択指示メッセージのみを受信して、上記セル選択指示メッセージに含まれたセル選択指示情報を分析する。すると、ＵＥは、上記セル選択指示情報に従って、セル選択が要求されるか否かを決定する。
【００６７】
上記セッションが終了され、ＲＮＣが図１２に示すようなセル選択指示メッセージを選択的に送信する場合に、ＵＥは、図１４に示すように動作する。図１４において、上記セル選択が遂行されることができるように、ＲＮＣから上記セル選択指示メッセージを送信する場合の動作を示す。
【００６８】
図１４において、ステップＳ１４１０で、セッション終了情報がＭＣＣＨを介して受信されると、ステップＳ１４２０で、ＵＥは、ＤＣＣＨ又はＣＣＣＨを介して受信されるセル選択指示メッセージを待機する。上記セル選択指示メッセージが受信されると、ステップＳ１４３０で、ＵＥは、セル選択を遂行する。一方、ＵＥは、現在のセルに滞在する。
【００６９】
本発明の第３の実施形態に従って、システムが明示的に又は確率的にセル選択を指示しない場合に、ＵＥは、選好周波数セルでＭＢＭＳサービスのセッションを終了する直後に非選好周波数へ移動することなく、所定のタイマーが満了されるまで待機する。上記タイマーは、上記ＭＢＭＳサービスの１つのセッションが終了されるとき開始され、上記ＭＢＭＳサービスの次のセッションが開始されるとき終了される。上記タイマーが満了されるまで、上記ＭＢＭＳサービスの次のセッションが開始されないと、ＵＥは、セル選択を遂行する。
【００７０】
図１５は、本発明の第３の実施形態によるＵＥでの動作を示すフローチャートである。
【００７１】
図１５を参照すると、ＵＥはステップＳ１５１０で、受信されているか又は受信されるＭＢＭＳサービスのセッションが、ＭＣＣＨを介して終了されることを感知する。ＵＥは、ステップＳ１５２０で、所定の時間Ｔで設定されたタイマーを開始する。ステップＳ１５３０で、ＵＥは、上記タイマーが満了されたか否かを判断する。上記タイマーが満了されないと、ＵＥは、ステップＳ１５５０へ進行する。しかしながら、上記タイマーが満了された場合、ＵＥは、ステップＳ１５４０へ進行する。
【００７２】
ステップＳ１５４０で、ＵＥは、無条件的に、又は予め定められた確率値Ｐに従って、セル選択を遂行する。上記セル選択を実行する場合に、ＵＥ５０１は、上記ＭＢＭＳサービスの選好周波数セルへ移動する前に位置した非選好周波数セルへ復帰するか、または、信号強度の測定に従う測定の結果に基づいてセル選択を遂行する。このために、ＵＥは、以前の周波数情報を予め記憶する。
【００７３】
ステップＳ１５５０で、ＵＥは、上記ＭＢＭＳサービスの新たなセッションがＭＣＣＨを介して開始されたか否かを判断する。新たなセッションがＭＣＣＨを介して開始されたことを示すメッセージを受信した場合には、ＵＥは、ステップＳ１５６０に進行して、上記タイマーを終了し、現在のセルに滞在しつつ、上記新たなセッションを受信する。ここで、タイマーの所定の時間値Ｔ及び上記確率値Ｐは、ＲＮＣから予め受信されるか、又は、ＵＥで予め設定されているデフォルト値となることができる。例えば、ＵＥは、ＭＣＣＨを介して上記設定値Ｔ及び上記確率値ＰをＲＮＣから受信する。
【００７４】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００７５】
【図１】ＭＢＭＳサービスを提供するためのネットワークの構成を示すブロック図である。
【図２】ＭＢＭＳサービスを提供するための手順を示すフローチャートである。
【図３】ＦＬＣ状況でのセル状態を示す図である。
【図４】本発明の第１の実施形態によるＦＬＣ状況での時間のフローに従う各セルの状態を示す図である。
【図５】本発明の第１の実施形態に従って、ＭＣＣＨを使用するＵＥの散在動作を示すメッセージフロー図である。
【図６】本発明の第１の実施形態によるセル選択指示情報の構成を示すテーブルである。
【図７】本発明の第１の実施形態によるＲＮＣからセル選択指示情報を送信する動作を示すフローチャートである。
【図８】本発明の第１の実施形態によるＵＥでのセル選択指示情報を受信する動作を示すフローチャートである。
【図９】本発明の第２の実施形態に従って、制御チャンネルを使用するＵＥの散在動作を示すメッセージフロー図である。
【図１０】本発明の第２の実施形態によるセル選択指示メッセージの構成形態を示すテーブルである。
【図１１】本発明の第２の実施形態に従って、図１０に示すセル選択指示メッセージを送信する動作を示すフローチャートである。
【図１２】本発明の第２の実施形態によるセル選択指示メッセージの他の構成形態を示すテーブルである。
【図１３】本発明の第２の実施形態に従って、図１２に示すセル選択指示メッセージを送信する動作を示すフローチャートである。
【図１４】本発明の第２の実施形態によるＵＥでのセル選択指示情報を受信する動作を示すフローチャートである。
【図１５】本発明の第３の実施形態によるＵＥでの動作を示すフローチャートである。
【符号の説明】
【００７６】
４０１  セル１
４０２  セル２
４０３  セル３
４１３  セッション１終了
４１４  セッション２開始
４８０  所定の時間
【図１】
2008505582.tif 000003
【図２】
2008505582.tif 000004
【図３】
2008505582.tif 000005
【図４】
2008505582.tif 000006
【図５】
2008505582.tif 000007
【図６】
2008505582.tif 000008
【図７】
2008505582.tif 000009
【図８】
2008505582.tif 000010
【図９】
2008505582.tif 000011
【図１０】
2008505582.tif 000012
【図１１】
2008505582.tif 000013
【図１２】
2008505582.tif 000014
【図１３】
2008505582.tif 000015
【図１４】
2008505582.tif 000016
【図１５】
2008505582.tif 000017
【国際調査報告】
2008505582.tif 000018
2008505582.tif 000019